(57)【要約】  【課題】フィールド反転方式の液晶表示装置の駆動方法において、所定期間毎に反転する極性を所定周期毎にさらに反転して液晶材料に電圧を印加する駆動方法の場合、極性をさらに反転するタイミングでフリッカが発生する。更に、所定周期を長くするほど焼き付き低減の効果は薄くなる。  【解決手段】画素電極と対向電極との間に挟持された液晶材料に所定期間毎に極性を反転して電圧を印加し、前記所定期間毎に反転する極性を所定周期毎にさらに反転して前記液晶材料に電圧を印加することのできる液晶表示手段と、前記所定周期の周期を選択する周期選択手段と、前記所定周期を前記周期選択手段によって選択された周期に変更する周期切替え手段と、撮像装置のモードを選択するモード選択手段を備えた撮像装置において、前記モード選択手段により、選択されたモードに応じて、前記周期切替え手段によって前記所定周期を変更することを特徴とする構成とした。【選択図】図１
2013161006.tif 000002
【特許請求の範囲】
【請求項１】
画素電極と対向電極との間に挟持された液晶材料に所定期間毎に極性を反転して電圧を印加し、前記所定期間毎に反転する極性を所定周期毎にさらに反転して前記液晶材料に電圧を印加することのできる液晶表示手段と、前記所定周期の周期を選択する周期選択手段と、前記所定周期を前記周期選択手段によって選択された周期に変更する周期切替え手段と、撮像装置のモードを選択するモード選択手段を備え、前記モード選択手段により、選択されたモードに応じて、前記周期切替え手段によって前記所定周期を変更することを特徴とする液晶表示装置の制御方法。
【請求項２】
前記モード選択手段は、ＯＳＤの表示、非表示を検出するＯＳＤ表示検出手段であって、前記ＯＳＤ表示検出手段が、ＯＳＤの非表示を検出すると、前記周期選択手段により、前記所定周期を長くし、前記周期切替え手段によって前記所定周期を変更することを特徴とする請求項１に記載の液晶表示装置の制御方法。
【請求項３】
前記モード選択手段は、デモモードを検出するデモモード検出手段であって、前記デモモード検出手段が、デモモードが有効であることを検出すると、前記周期選択手段により、前記所定周期を長くし、前記周期切替え手段によって前記所定周期を変更することを特徴とする請求項１に記載の液晶表示装置の制御方法。
【請求項４】
前記モード選択手段は、ＡＰＬを検出するＡＰＬ検出手段と、前記ＡＰＬ検出手段で検出したレベルを判定する低輝度閾値と高輝度閾値であって、前記ＡＰＬ検出手段により検出されたレベルが、前記低輝度閾値以上かつ前記高輝度閾値以下の場合、前記周期選択手段により、前記所定周期を長くし、前記周期切替え手段によって前記所定周期を変更することを特徴とする請求項１に記載の液晶表示装置の制御方法。
【請求項５】
使用者が映像を確認するためのビューファインダーを備え、前記モード選択手段は、前記ビューファインダーに映像が表示されているかを検出するビューファインダー検出手段であって、前記ビューファインダー検出手段が、ビューファインダーが表示されていることを検出すると、前記周期選択手段により、前記所定周期を短くし、前記周期切替え手段によって前記所定周期を変更することを特徴とする請求項１に記載の液晶表示装置の制御方法。
【請求項６】
前記液晶表示装置は、機器本体に開閉可能であり、少なくともレンズと同方向に向けること（反転）が可能であり、前記モード選択手段は、前記液晶表示手段の開閉状態を検出する開閉検出手段と、前記液晶表示手段がレンズと同方向を向いたことを検出する回転検出手段であって、前記開閉検出手段が、開状態であることを検出し、前記回転検出手段が反転状態であることを検出すると、前記周期選択手段により、前記所定周期を短くし、前記周期切替え手段によって前記所定周期を変更することを特徴とする請求項１に記載の液晶表示装置の制御方法。
【請求項７】
前記液晶表示装置は、機器本体に開閉可能であり、少なくともレンズと同方向に向けること（反転）が可能であり、前記モード選択手段は、前記液晶表示手段の開閉状態を検出する開閉検出手段と、前記液晶表示手段がレンズと同方向を向いたことを検出する回転検出手段と、機器本体のモードを選択する機器モード選択手段であって、前記機器モード選択手段が撮影モードを選択し、前記開閉検出手段が、閉状態であることを検出し、前記回転検出手段が反転状態であることを検出すると、前記所定周期を短くし、前記周期切替え手段によって前記所定周期を変更することを特徴とする請求項１に記載の液晶表示装置の制御方法。
【請求項８】
前記モード選択手段は、外部出力端子に端子がさされていることを検出する外部出力端子検出手段であって、前記外部出力端子検出手段が端子がさされていることを検出すると、前記所定周期を短くし、前記周期切替え手段によって前記所定周期を変更することを特徴とする請求項１に記載の液晶表示装置の制御方法。
【請求項９】
前記モード選択手段は、三脚に固定されていること検出する三脚検出手段であって、前記三脚検出手段が、三脚に固定されていることを検出すると、前記所定周期を短くし、前記周期切替え手段によって前記所定周期を変更することを特徴とする請求項１に記載の液晶表示装置の制御方法。
【請求項１０】
前記モード選択手段は、ＡＰＬを検出するＡＰＬ検出手段と、前記ＡＰＬ検出手段で検出したレベルを判定する低輝度閾値と高輝度閾値であって、前記ＡＰＬ検出手段により検出されたレベルが、前記低輝度閾値以下もしくは前記高輝度閾値以上の場合、前記所定周期を短くし、前記周期切替え手段によって前記所定周期を変更することを特徴とする請求項１に記載の液晶表示装置の制御方法。
【発明の詳細な説明】
【技術分野】
【０００１】
本発明は、液晶表示装置に関し、特に液晶表示装置の制御方法に関するものである。
【背景技術】
【０００２】
テレビ放送におけるＮＴＳＣ方式とは、アメリカや日本のテレビ放送で採用されているカラーテレビ放送の規格であり、映像信号を色信号と輝度信号に分けて送信し、受信時に合成して再生する方式をいう。また、インターレース走査方式とは、ＣＲＴディスプレイで、電子ビームが１ラインおきに画面上を走査し、２回の走査で１画面を表示する走査方式をいう。
【０００３】
現在、テレビ放送における映像信号は一般的にインターレース方式が用いられている。インターレース方式は、１枚の画面（１フレーム）の映像信号を奇数フィールド分と偶数フィールド分に分けて送る方式であり、奇数フィールドでは奇数番目の走査線の映像が送られ、偶数フィールドでは偶数番目の走査線の映像信号が送られる。ＮＴＳＣ方式では、１フレームが５２５本の走査線からなっており、２：１のインターレース走査を行っている。奇数フィールドでは１、３、５・・・５２５番目の走査線の映像信号、偶数フィールドでは２、４、６・・・５２４番目の走査線の映像信号が送られる。このとき、１フレーム（１画面分の映像信号）の周波数は３０ＨＺ、１フィールド（奇数フィールド又は偶数フィールド分）の周波数は６０ＨＺである。なお、ＣＲＴディスプレイの表示領域で実際に表示するのは、５２５本の走査線のうちの４８０本程度である。
【０００４】
従来、走査ライン数が２４０本程度の液晶ディスプレイに、ＮＴＳＣ方式などのインターレース走査方式で伝送される映像信号を表示する場合、以下に述べるような方法で行われる。奇数フィールドと偶数フィールドの各走査ラインを液晶ディスプレイの同一の走査ラインに割り当てる方法である。例えばＮＴＳＣ方式の奇数フィールドの第１、３、５・・・４７９番目の２４０本の走査ラインと、偶数フィールドの第２、４、６・・・４８０番目の２４０本の走査ラインを液晶ディスプレイの第１、２、３・・・２４０番目の走査ラインに重ねて表示する。
【０００５】
一方、液晶ディスプレイでは直流電圧を印加すると液晶が劣化し、画像の焼き付きなどの現象を起こしやすいため、交流駆動する必要がある。そのため、通常は映像信号の極性をフィールドごとに３０ＨＺ  の周波数で反転させて液晶に印加するフィールド反転駆動を行う。例えば、奇数フィールドが正極性のとき、偶数フィールドは負極性とし、液晶には３０ＨＺ  の周波数で極性の反転した電圧が印加されるようにする。この正負の極性反転は連続的に繰り返される。
【０００６】
図２１は従来のフィールド反転方式の駆動方法の各フィールドにおける１画素にかかる電圧を示す図であり、図２１（ａ）は白表示のときに１画素にかかる電圧を示し、図２１（ｂ）は黒表示のときに１画素にかかる電圧を示し、図２１（ｃ）は１水平走査（ＮＴＳＣ方式における１／５２５）毎に白、黒の入れ代わる横縞表示のときに１画素にかかる電圧を示す。図２１（ａ）（ｂ）（ｃ）において、Ｖｉｄｅｏは映像信号、ＶＳは垂直同期信号、ＦＲは極性反転信号、ＲＧＢは上方側が１画素にかかる正極性の液晶印加電圧、下方側が１画素にかかる負極性の液晶印加電圧をそれぞれ示す。
【０００７】
白表示の液晶印加電圧ＲＧＢを０、黒表示の液晶印加電圧ＲＧＢをＥとすると、図２１（ａ）に示すように、白表示のときは奇数フィールド、偶数フィールドともに液晶印加電圧ＲＧＢは０、図２１（ｂ）に示すように黒表示のときは奇数フィールドでは＋Ｅ（または−Ｅ）、偶数フィールドでは−Ｅ（または＋Ｅ）の液晶印加電圧ＲＧＢが印加されることになる。また、図２１（ｃ）に示すように、横縞表示の場合は、奇数フィールドで０、偶数フィールドで＋Ｅ（または−Ｅ）、または奇数フィールドで＋Ｅ（または−Ｅ）、偶数フィールドで０の液晶印加電圧ＲＧＢが印加されることになる。
【０００８】
しかしながら、このような従来のフィールド反転方式の液晶表示装置の駆動方法では、図２１（ｃ）に示すように横縞表示のときに正極性の電圧ＲＧＢのみが印加され、平均するとＥ／２の直流電圧ＲＧＢが液晶に印加されることになり、画像の焼き付きが生じるために、例えば、特許文献１が開示されている。図２２は、この技術のフィールド反転方式の液晶表示装置の駆動方法の各フィールドにおける１画素にかかる電圧をそれぞれ示す図であり、図２２（ａ）は白表示のときの１画素にかかる電圧、図２２（ｂ）は黒表示のときに１画素にかかる電圧、図２２（ｃ）は横縞表示のときに１画素にかかる電圧をそれぞれ示す。図２２において、Ｖｉｄｅｏは映像信号、ＶＳは垂直同期信号、ＦＲは極性反転信号、ＰＲはフィールド反転信号、ＲＧＢは上方側が１画素にかかる正極性の液晶印加電圧、下方側が１画素にかかる負極性の液晶印加電圧をそれぞれ示す。
【０００９】
垂直同期信号ＶＳの周波数は例えば６０ＨＺである。垂直同期信号ＶＳがオフから次のオフまでの期間が１フィールドになり、２フィールドで１フレームになる。極性反転信号ＦＲは、１フィールド毎にオン・オフし、画像信号ＲＧＢの極性を反転させる。フィールド反転信号ＰＲは、所定期間例えば２フレーム毎に奇数フィールドと偶数フィールドの極性を反転させる。こうすることにより、画像信号ＲＧＢは、第１フレーム及び第２フレームでは奇数フィールドで正極性、偶数フィールドで負極性になり、また第３フレームおよび第４フレームでは逆に奇数フィールドで負極性、偶数フィールドで正極性の電位となる。
【００１０】
白表示のときの液晶印加電圧ＲＧＢを０、黒表示の液晶印加電圧ＲＧＢをＥとすると、図２２（ａ）に示すように、白表示のときは、第５フレーム、第９フレーム、第１３フレーム（４フレーム毎）の直前でフィールド反転信号ＰＲが入力されるものの、映像信号Ｖｉｄｅｏがローレベルであることから、液晶への印加電圧ＲＧＢは奇数フィールド、偶数フィールドともに０になる。
【００１１】
また、図２２（ｂ）に示すように、黒表示のときは、当初は奇数フィールドでは−Ｅの電圧が液晶に印加され、偶数フィールドでは＋Ｅの電圧が液晶に印加（第１フレームでは−Ｅ，第２フレームでは＋Ｅの電圧が印加）されるが、第５フレームの直前で極性反転信号ＰＲが入力されると、奇数フィールドでは＋Ｅの電圧が液晶に印加され、偶数フィールドでは−Ｅの電圧が液晶に印加されるようになる。以下同様に、第９フレーム、第１３フレーム（４フレーム毎）の直前でも液晶への印加電圧ＲＧＢの極性が反転する。この場合、正極性の電圧と負極性の電圧は対象に印加されることから、液晶に直流成分の電圧が印加されることはない。
【００１２】
さらに、図２２（ｃ）に示すように、横縞表示のときは、ＮＴＳＣ方式の５２５本の走査線の映像で一本おきに黒と白の表示をすると、奇数フィールドの２６３本はすべて黒、偶数フィールドの２６２本はすべて白の映像信号となる。このとき、フレーム番号の第１フレーム〜第２フレームでは奇数フィールドで正極性、偶数フィールドで負極性、第３フレーム〜第４フレームでは奇数フィールドで負極性、偶数フィールドでは正極性となるので、液晶の駆動電圧を５Ｖとして、黒のとき５Ｖ、白の時０Ｖの電圧を液晶に印加すると、液晶には第１フレーム〜第２フレームの奇数フィールドで＋５Ｖ、偶数フィールドで０Ｖ、第３フレーム〜第４フレームの奇数フィールドで−５Ｖ、偶数フィールドで０Ｖとなり、第１フレーム〜第２フレームで平均＋２．５Ｖの直流電圧が液晶に印加され、第３フレーム〜第４フレームで平均−２．５Ｖの直流電圧が液晶に印加され、５１２フレーム毎に印加される直流電圧は相殺される。つまり、結果として４フレーム周期の交流電圧が液晶に印加されることになる。このため、所定期間毎に反転する極性を所定周期毎にさらに反転して液晶材料に電圧を印加することから、一画素には所定周期単位で交流電圧が印加されるようになり、インターレース方式の映像を液晶ディスプレイで表示しても、表示パターンにかかわらず、画像を焼き付けることなく表示することができる。以下、フィールド反転方式の液晶表示装置の所定期間毎に反転する極性を所定周期毎にさらに反転して液晶材料に電圧を印加することを長周期反転と称する。
【先行技術文献】
【特許文献】
【００１３】
【特許文献１】特開平０９−２３６７８７号公報
【発明の概要】
【発明が解決しようとする課題】
【００１４】
しかしながら、上述の特許文献１に開示された従来技術では、所定期間毎に反転する極性を所定周期毎にさらに反転して液晶材料に電圧を印加するため、同じ極性が２Ｆｉｅｌｄ続いてしまう。そのため極性をさらに反転するタイミングでフリッカが発生する。更に、所定周期を長くするほど、焼き付き低減の効果は薄くなる。
【００１５】
そこで、本発明の目的は、インターレース方式の映像信号で、フリッカを目立たなくし、焼き付きを解消するフィールド反転方式の液晶表示装置の駆動方法を提供することである。
【課題を解決するための手段】
【００１６】
上記目的を達成するために、本発明は、画素電極と対向電極との間に挟持された液晶材料に所定期間毎に極性を反転して電圧を印加し、前記所定期間毎に反転する極性を所定周期毎にさらに反転して前記液晶材料に電圧を印加することのできる液晶表示手段と、前記所定周期の周期を選択する周期選択手段と、前記所定周期を前記周期選択手段によって選択された周期に変更する周期切替え手段と、撮像装置のモードを選択するモード選択手段を備えた撮像装置において、前記モード選択手段により、選択されたモードに応じて、前記周期切替え手段によって前記所定周期を変更することを特徴とする。
【発明の効果】
【００１７】
本発明によれば、モードに応じて、液晶に印加する電圧の極性をさらに反転する周期を長くするため、使用者がフリッカを認識する機会を少なくすることができる。更に、モードに応じて、液晶に印加する電圧の極性をさらに反転する周期を短くするため、焼き付きを低減させることができる。
【図面の簡単な説明】
【００１８】
【図１】第１の実施例における撮像装置の構成を示すブロック図である。
【図２】撮像装置の外観斜視図である。
【図３】第１の実施例における撮像装置の動作手順を示すフローチャートである。
【図４】第２の実施例における撮像装置の構成を示すブロック図である。
【図５】第２の実施例における撮像装置の動作手順を示すフローチャートである。
【図６】第３の実施例における撮像装置の動作手順を示すフローチャートである。
【図７】第３の実施例における撮像装置の構成を示すブロック図である。
【図８】第４および第１０の実施例における撮像装置の動作手順を示すフローチャートである。
【図９】第４の実施例における撮像装置の構成を示すブロック図である。
【図１０】第５の実施例における撮像装置の動作手順を示すフローチャートである。
【図１１】第５の実施例における撮像装置の構成を示すブロック図である。
【図１２】第６の実施例における撮像装置の動作手順を示すフローチャートである。
【図１３】第６の実施例における撮像装置の構成を示すブロック図である。
【図１４】第７の実施例における撮像装置の動作手順を示すフローチャートである。
【図１５】第７の実施例における撮像装置の構成を示すブロック図である。
【図１６】第８の実施例における撮像装置の動作手順を示すフローチャートである。
【図１７】第８の実施例における撮像装置の構成を示すブロック図である。
【図１８】第９の実施例における撮像装置の動作手順を示すフローチャートである。
【図１９】第９の実施例における撮像装置の構成を示すブロック図である。
【図２０】第１０の実施例における撮像装置の動作手順を示すフローチャートである。
【図２１】従来の液晶表示装置の駆動方法を示す駆動波形図である。
【図２２】従来の液晶表示装置の駆動方法を示す駆動波形図である。
【発明を実施するための形態】
【００１９】
以下に、本発明の好ましい実施の形態を、添付の図面に基づいて詳細に説明する。
【００２０】
＜第１の実施形態＞
以下、本発明の第１の実施例による撮像装置の構成について説明する。図１は本発明の第１の実施例における撮像装置の構成を示すブロック図である。本実施例ではビデオカメラとしたが映像信号の記録再生が可能なものであればデジタルスチルカメラなどであってもよい。
【００２１】
デジタルビデオカメラはレンズ１０１（フォーカスレンズ、手振れ補正レンズを含む）、絞り１０２、イメージセンサ１０３、レンズ制御部１０４、絞り制御部１０５、センサ制御部１０６、制御マイコン１０７、カメラ画信号処理部１０８、ビデオ信号処理部１０９、液晶パネル１１０、記録媒体１１１、周期選択手段１１２、周期切替え手段１１３、モード検出手段１１４を備えている。
【００２２】
静止画像データ、動画像データ等のデータを格納する、記録媒体１１１は、ハードディスク、固体磁気ディスクメモリ、光磁気ディスクメモリ、光ディスクメモリ等のディスクメディアでも構わないし、ＳＤＲＡＭ、ＤＲＡＭ等の固体半導体メモリで構成されるランダムアクセスが可能な種々の媒体を用いることができる。
【００２３】
図１において、レンズ１０１の後方には絞り１０２が配置されている。レンズ１０１、絞り１０２を介した光は、イメージセンサ１０３の結像面上に被写体像として結像される。イメージセンサ１０３において、結像された被写体像は光信号から映像信号に変換される。
【００２４】
イメージセンサ１０３により得られた映像信号は、カメラ画信号処理部１０８に送られる。映像信号は、カメラ画信号処理部１０８において所定の処理を施され、ビデオ信号処理部１０９へ送られ、ビデオ信号処理部１０９において、所定の処理を施され、液晶パネル１１０に出力されるか、或いは、記録媒体１１１に記録される。
【００２５】
制御マイコン１０７は、センサ制御部１０６を通じて、イメージセンサ１０３の蓄積、読み出しなどの制御を行う。また、レンズ制御部１０４を通じて、レンズ１０１のフォーカス、ズームなどの制御を行う。
【００２６】
また、制御マイコン１０７は、イメージセンサ１０３から得られる画像データから求められる被写体の輝度情報を用いて、絞り制御部１０５を通じて、絞り１０２の制御を行い、合わせてシャッタースピードの制御を行うことで、露出制御を行う。
【００２７】
また、制御マイコン１０７は、レンズ制御部１０４を通じてレンズ１０１を駆動するか、或いは、カメラ画信号処理部１０８を制御することで、使用者の撮影時の手ぶれを補正する。
【００２８】
ビデオ信号処理部１０９の圧縮伸張処理方式は、モーションＪＰＥＧのような、１枚１枚のコマを独立して圧縮符号化する動画符号化方式でも構わないし、ＭＰＥＧのような、コマによって独立して圧縮符号化したり、前後のコマの差分をとって圧縮符号化したり、また、複数のコマから予測して圧縮符号化したりする動画符号化方式でも構わない。
【００２９】
また、周期選択手段１１２は、長周期反転する周期を選択する。例えば、周期は１０２４フィールド（ＮＴＳＣでは約１７．１秒、ＰＡＬでは約２０．５秒）、２０４８フィールド（ＮＴＳＣでは約３４．１秒、ＰＡＬでは約４１秒）、４０９６フィールド（ＮＴＳＣでは約６８．３秒、ＰＡＬでは約８１．９秒）の中から選択する。そして、周期切替え手段１１３は、周期選択手段１１２で選択された周期に切替え、液晶パネル１１０を駆動する。また、モード検出手段１１４は、ビデオカメラ本体の種々のモードを検出する。
【００３０】
図２は、本発明の第１の実施の形態に係る撮像装置の外観斜視図である。図２において、撮像装置本体２０１内部には、ＤＶＤディスク、固体半導体メモリ及びメモリカードなどの記録媒体が収納され、映像信号及び静止画像を記録再生できるようになっている。
【００３１】
上部には、レンズ部２０２がある。電子式ビューファインダ２０４は、覗き込むことによりカメラ撮影時に被写体を狙ったり確認したりするために備えられている。電子式ビューファインダ２０４は接眼部を引き出すことで表示をオンさせたり、プッシュボタンで表示をオンさせたり種々のものがある。
【００３２】
動画用トリガースイッチ２０６は、プッシュボタンであり、動画撮影開始及び終了を機器に伝達するために使用者が操作するスイッチである。
【００３３】
モードダイヤル２０５は回転式のスイッチからなる。モードダイヤル２０５では、例えば、再生モードに設定する“再生”、カメラモードに設定する“カメラ”及びそのいずれでもない“ＯＦＦ”のいずれかを選択できる。
【００３４】
操作スイッチ群２０８は、使用者が本体を操作するため、ＯＳＤの表示、非表示の切替えをするためのキーやその他のメニュー操作や再生系の操作などのためのキーが配置されている。
【００３５】
本体２０１の側面に開閉自在となるように取り付けられた液晶パネル２０７は、ビューファインダ２０４と同様に、カメラ撮影時には被写体像の確認、再生時には再生画像の表示に主に使用される。この液晶パネル２０７は、矢印Ａ方向に開閉自在及び矢印Ｂ方向に回動自在に配されている。液晶パネル２０７は、撮影者側に向いた通常撮影状態と、被写体側つまりレンズ２０２と同方向を向いた対面撮影状態とに回動自在となっている。以下、図２の状態を正転状態、正転状態から矢印Ａ方向に液晶パネル２０７を閉じた状態を正転収納状態、図２の状態から矢印Ｂ方向に液晶パネル２０７を回転した状態を対面状態、対面状態から矢印Ａ方向に液晶パネル２０７を閉じた状態を反転収納状態と言うこととする。バッテリ２０９は、本体２０１と着脱可能になっている。
【００３６】
次に、本発明の第１の実施例における、長周期反転の周期の切替え方法について説明する。図３は請求項１の発明の実施例における、長周期反転の周期を切替える手順を示すフローチャートである。
【００３７】
本処理は、制御マイコン１０７によって実行される。図３において、電源が投入されると、制御マイコン１０７は、周期選択手段１１２により、長周期反転の周期を２０４８フィールドに設定をする（Ｓ３０１）。そして、液晶パネル１１０が焼き付きにくい表示、つまり、固定パターンのない表示や、長周期反転の反転のタイミングで発生するフリッカの目立つ表示の場合（Ｓ３０２）は、周期選択手段１１２により、長周期反転の周期が長くなる周期を選択する。そして、周期切替え手段１１３により、長周期反転の周期を切替える。ここでは、４０９６フィールド毎に反転する（Ｓ３０４）。長周期反転の周期を長くすると、焼き付き低減の効果は少なくなるが、固定パターンのない表示の場合は、液晶パネル１１０には焼き付きが発生しないため、長周期反転の周期を長くすることが可能である。また、フリッカの目立つ表示の場合は、使用者がフリッカを認識しやすくなる。そのため、長周期反転の周期を長くすることで、使用者がフリッカを認識する機会を減らすことができる。
【００３８】
ステップＳ３０１で長周期反転の周期を２０４８フィールドに設定後、液晶パネル１１０を凝視しないシチュエーションや、フリッカの目立たない表示の場合（Ｓ３０３）は、周期選択手段１１２により、長周期反転の周期が短くなる周期を選択する。そして、周期切替え手段１１３により、長周期反転の周期を切替える。ここでは、１０２４フィールド毎に反転する（Ｓ３０５）。長周期反転の周期を短くすると、焼き付き低減の効果は大きくなるが、フリッカの発生する機会が多くなり、使用者がフリッカを認識しやすくなる。そのため、液晶パネル１１０を凝視しないシチュエーションやフリッカの目立たない表示の際は、長周期反転の周期を短くして、焼き付き低減の効果を大きくすることができる。
【００３９】
以上の処理を行った後、撮影あるいは再生が継続されているかどうかの判定を行い（Ｓ３０６）、電源が切断されて制御が終了するまで、ステップＳ３０２もしくはステップＳ３０３の処理を繰り返す。電源が切断されると、本処理を終了する。
【００４０】
このように、第１の実施例におけるビデオカメラによれば、焼き付きにくい表示やフリッカの目立つ表示の時は、長周期反転の周期を長くするため、使用者がフリッカを認識する機会を減らすことができる。また、液晶パネル１１０を凝視しないシチュエーションやフリッカの目立たない表示の時は、長周期反転の周期を短くするため、焼き付き低減の効果が大きくなる。
【００４１】
＜第２の実施形態＞
次に、本発明の第２の実施例における、長周期反転の周期の切替え方法について説明する。
【００４２】
第２の実施例の撮像装置の構成は、前記第１の実施例とほぼ同一であるので、同一の構成要素については同一の符号を用いることでその説明を省略し、ここでは異なる構成について説明する。
【００４３】
図４は請求項２の発明の実施例における撮像装置の構成を示すブロック図であり、第１の実施例において、ＯＳＤ表示検出手段４０１を追加し、液晶パネル１１０のＯＳＤ表示が表示されている、表示されていないの検出を可能にしたものである。
【００４４】
図５は請求項２の発明の実施例における、長周期反転の周期を切替える手順を示すフローチャートである。
【００４５】
本処理は、制御マイコン１０７によって実行される。図５において、電源が投入されると、制御マイコン１０７は、周期選択手段１１２により、長周期反転の周期を２０４８フィールドに設定をする（Ｓ５０１）。次に、ＯＳＤ表示検出手段４０１により、液晶パネル１１０にＯＳＤが表示されていないことを検出すると（Ｓ５０２）、周期選択手段１１２が４０９６フィールド毎に反転する周期を選択し、周期切替え手段１１３により、長周期反転の周期を４０９６フィールド毎に反転するように切替える（Ｓ５０２）。ここで、液晶パネル１１０には、ＯＳＤが表示されていないため、固定パターンのない表示となるため、焼き付きは起こらない。また、ＯＳＤ表示検出手段４０１により、液晶パネル１１０にＯＳＤが表示されていることを検出すると（Ｓ５０２）、長周期反転の周期は、２０４８フィールドのままとなる（Ｓ５０１）。
【００４６】
以上の処理を行った後、撮影あるいは再生が継続されているかどうかの判定を行い（Ｓ５０４）、電源が切断されて制御が終了するまで、ステップＳ５０２でＯＳＤ表示の判定を行い、以上の処理を繰り返す。電源が切断されると、本処理を終了する。
【００４７】
このように、第２の実施例におけるビデオカメラによれば、ＯＳＤが非表示の時は、長周期反転の周期を長くするため、使用者がフリッカを認識する機会を減らすことができる。
【００４８】
＜第３の実施形態＞
次に、本発明の第３の実施例における、長周期反転の周期の切替え方法について説明する。
【００４９】
第３の実施例の撮像装置の構成は、前記第１の実施例とほぼ同一であるので、同一の構成要素については同一の符号を用いることでその説明を省略し、ここでは異なる構成について説明する。
【００５０】
図６は請求項３の発明の実施例における撮像装置の構成を示すブロック図であり、第１の実施例において、デモモード検出手段６０１を追加し、デモモードが動作中であるかを検出可能にしたものである。デモモードとは、販売店の店頭において、その製品の特徴をピーアールするためのモードであり、ビデオカメラの場合、液晶パネルに製品の特徴をピーアールするための映像を表示する。テレビＣＭ等が表示される場合もある。
【００５１】
図７は請求項３の発明の実施例における、長周期反転の周期を切替える手順を示すフローチャートである。
【００５２】
本処理は、制御マイコン１０７によって実行される。図７において、電源が投入されると、制御マイコン１０７は、周期選択手段１１２により、長周期反転の周期を２０４８フィールドに設定をする（Ｓ７０１）。次に、デモモード検出手段６０１により、デモモードが動作していることを検出すると（Ｓ７０２）、周期選択手段１１２が４０９６フィールド毎に反転する周期を選択し、周期切替え手段１１３により、長周期反転の周期を４０９６フィールド毎に反転するように切替える（Ｓ７０２）。ここで、デモモードとして液晶パネル１１０に表示される映像は、製品の特徴をピーアールするために様々な映像パターンが表示され、固定パターンのない表示となり、焼き付きは起こらない。また、デモモード検出手段６０１により、デモモードが動作していないことを検出すると（Ｓ７０２）、長周期反転の周期は、２０４８フィールドのままとなる（Ｓ７０１）。
【００５３】
以上の処理を行った後、撮影あるいは再生が継続されているかどうかの判定を行い（Ｓ７０４）、電源が切断されて制御が終了するまで、ステップＳ７０２でデモモードの動作判定を行い、以上の処理を繰り返す。電源が切断されると、本処理を終了する。
【００５４】
このように、第３の実施例におけるビデオカメラによれば、デモモードが動作している時は、長周期反転の周期を長くするため、使用者がフリッカを認識する機会を減らすことができる。
【００５５】
＜第４の実施形態＞
次に、本発明の第４の実施例における、長周期反転の周期の切替え方法について説明する。
【００５６】
第４の実施例の撮像装置の構成は、前記第１の実施例とほぼ同一であるので、同一の構成要素については同一の符号を用いることでその説明を省略し、ここでは異なる構成について説明する。
【００５７】
図８は請求項４の発明の実施例における撮像装置の構成を示すブロック図であり、第１の実施例において、ＡＰＬ検出手段８０１を追加し、ＡＰＬ（Average Picture Level）の判別を可能にしたものである。ここで、ＡＰＬとは、入力映像信号の平均輝度レベルのことである。
【００５８】
図９は請求項４の発明の実施例における、長周期反転の周期を切替える手順を示すフローチャートである。
【００５９】
本処理は、制御マイコン１０７によって実行される。図９において、電源が投入されると、制御マイコン１０７は、周期選択手段１１２により、長周期反転の周期を２０４８フィールドに設定をする（Ｓ９０１）。次に、ＡＰＬ検出手段８０１により、平均輝度レベルを検出する。この時ＡＰＬ検出レベルが閾値１以上である場合はステップＳ９０３へ進む（Ｓ９０２）。ここで、閾値１は制御マイコン１０７に予め設定されている値で、閾値１は平均輝度レベルが２０％の値とする。次に、ＡＰＬ検出手段８０１により、平均輝度レベルを検出し、この時ＡＰＬ検出レベルが閾値２以下である場合はステップＳ９０４へ進む（Ｓ９０３）。ここで、閾値２は制御マイコン１０７に予め設定されている値で、閾値２は平均輝度レベルが８０％の値とする。すると、周期選択手段１１２が４０９６フィールド毎に反転する周期を選択し、周期切替え手段１１３により、長周期反転の周期を４０９６フィールド毎に反転するように切替える（Ｓ９０４）。この平均輝度レベルが２０％以上８０％以下の映像は、長周期反転のタイミングで発生するフリッカが目立つ表示である。
【００６０】
以上の処理を行った後、撮影あるいは再生が継続されているかどうかの判定を行い（Ｓ９０５）、電源が切断されて制御が終了するまで、ステップＳ９０２で平均輝度レベルの判定を行い、以上の処理を繰り返す。電源が切断されると、本処理を終了する。
【００６１】
このように、第４の実施例におけるビデオカメラによれば、平均輝度レベルが２０％以上８０％以下の映像の時は、長周期反転の周期を長くするため、使用者がフリッカを認識する機会を減らすことができる。
【００６２】
また、上記実施例４ではフリッカの目立つ映像は２０％以上８０％以下の映像に限定されるものでなく、使用する液晶パネル１０１の種類によって変わるものである。
【００６３】
また、上記実施例４ではフリッカの目立つ映像をＡＰＬを使用して判別したが、輝度ヒストグラム解析を用いても良い。
【００６４】
＜第５の実施形態＞
次に、本発明の第５の実施例における、長周期反転の周期の切替え方法について説明する。
【００６５】
第５の実施例の撮像装置の構成は、前記第１の実施例とほぼ同一であるので、同一の構成要素については同一の符号を用いることでその説明を省略し、ここでは異なる構成について説明する。
【００６６】
図１０は請求項５の発明の実施例における撮像装置の構成を示すブロック図であり、第１の実施例において、ビューファインダー（ＥＶＦ）１００１と、ＥＶＦ検出手段１００２を追加し、ビューファインダー（ＥＶＦ）１００１でも撮影映像の表示ができ、ビューファインダー（ＥＶＦ）１００１のオン、オフの検出を可能にしたものである。
【００６７】
図１１は請求項５の発明の実施例における、長周期反転の周期を切替える手順を示すフローチャートである。
【００６８】
本処理は、制御マイコン１０７によって実行される。図１１において、電源が投入されると、制御マイコン１０７は、周期選択手段１１２により、長周期反転の周期を２０４８フィールドに設定をする（Ｓ１１０１）。次に、ＥＶＦ検出手段１００２により、ビューファインダー（ＥＶＦ）１００１がオンしていることを検出すると（Ｓ１１０２）、周期選択手段１１２が１０２４フィールド毎に反転する周期を選択し、周期切替え手段１１３により、長周期反転の周期を１０２４フィールド毎に反転するように切替える（Ｓ１１０３）。ここで、ビューファインダー（ＥＶＦ）１００１がオンしている場合は、使用者はビューファインダー（ＥＶＦ）を使用しているため、液晶パネル１１０を見ることはない。そのため、使用者がフリッカを認識することはない。また、ＥＶＦ検出手段１００２により、ビューファインダー（ＥＶＦ）がオンしていないことを検出すると（Ｓ１１０２）、長周期反転の周期は、２０４８フィールドのままとなる（Ｓ１１０１）。
【００６９】
以上の処理を行った後、撮影あるいは再生が継続されているかどうかの判定を行い（Ｓ１１０４）、電源が切断されて制御が終了するまで、ステップＳ１１０２でビューファインダー（ＥＶＦ）１００１がオンしているかの判定を行い、以上の処理を繰り返す。電源が切断されると、本処理を終了する。
【００７０】
このように、第５の実施例におけるビデオカメラによれば、ビューファインダー（ＥＶＦ）１００１がオンしている時は、長周期反転の周期を短くするため、液晶パネル１１０の焼き付きを低減させることができる。
【００７１】
＜第６の実施形態＞
次に、本発明の第６の実施例における、長周期反転の周期の切替え方法について説明する。
【００７２】
第６の実施例の撮像装置の構成は、前記第１の実施例とほぼ同一であるので、同一の構成要素については同一の符号を用いることでその説明を省略し、ここでは異なる構成について説明する。
【００７３】
図１２は請求項６の発明の実施例における撮像装置の構成を示すブロック図であり、第１の実施例において、パネル開閉検出手段１２０１と、パネル回転検出手段１２０２を追加し、液晶パネル１１０の開閉および回転の検出を可能にしたものである。
【００７４】
図１３は請求項６の発明の実施例における、長周期反転の周期を切替える手順を示すフローチャートである。
【００７５】
本処理は、制御マイコン１０７によって実行される。図１３において、電源が投入されると、制御マイコン１０７は、周期選択手段１１２により、長周期反転の周期を２０４８フィールドに設定をする（Ｓ１３０１）。次に、パネル開閉検出手段１２０１により、液晶パネル１１０が開いていることを検出し（Ｓ１３０２）、パネル回転検出手段１２０２により、液晶パネル１１０が回転していることを検出すると（Ｓ１３０３）、つまり、液晶パネル１１０が対面状態であることを検出すると、周期選択手段１１２が１０２４フィールド毎に反転する周期を選択し、周期切替え手段１１３により、長周期反転の周期を１０２４フィールド毎に反転するように切替える（Ｓ１３０４）。ここで、液晶パネル１１０が対面状態の場合は、使用者は、液晶パネル１１０を見ることはないため、使用者がフリッカを認識することはない。また、パネル開閉検出手段１２０１により、液晶パネル１１０が閉じていることを検出した場合や（Ｓ１３０２）、パネル回転検出手段１２０２により、液晶パネル１１０が正転状態であることを検出すると（Ｓ１３０３）、長周期反転の周期は、２０４８フィールドのままとなる（Ｓ１３０１）。
【００７６】
以上の処理を行った後、撮影あるいは再生が継続されているかどうかの判定を行い（Ｓ１３０５）、電源が切断されて制御が終了するまで、ステップＳ１３０２で液晶パネル１１０の開閉判定を行い、以上の処理を繰り返す。電源が切断されると、本処理を終了する。
【００７７】
このように、第６の実施例におけるビデオカメラによれば、液晶パネル１１０が対面状態の時は、長周期反転の周期を短くするため、液晶パネル１１０の焼き付きを低減させることができる。
【００７８】
＜第７の実施形態＞
次に、本発明の第７の実施例における、長周期反転の周期の切替え方法について説明する。
【００７９】
第７の実施例の撮像装置の構成は、前記第６の実施例とほぼ同一であるので、同一の構成要素については同一の符号を用いることでその説明を省略し、ここでは異なる構成について説明する。
【００８０】
図１４は請求項７の発明の実施例における撮像装置の構成を示すブロック図であり、第６の実施例において、本体モード検出手段１４０１を追加し、本体ビデオカメラのモードの判別を可能にしたものである。ここでの、本体モード検出手段１４０１は、カメラモードや再生モードを検出する。
【００８１】
図１５は請求項７の発明の実施例における、長周期反転の周期を切替える手順を示すフローチャートである。
【００８２】
本処理は、制御マイコン１０７によって実行される。図１５において、電源が投入されると、制御マイコン１０７は、周期選択手段１１２により、長周期反転の周期を２０４８フィールドに設定をする（Ｓ１５０１）。次に、本体モード検出手段１４０１により、カメラモードに設定されていることを検出すると（Ｓ１５０２）、ステップＳ１５０３へ進む。そして、パネル開閉検出手段１２０１により、液晶パネル１１０が閉じていることを検出し（Ｓ１５０３）、パネル回転検出手段１２０２により、液晶パネル１１０が回転していることを検出すると（Ｓ１５０４）、つまり、液晶パネル１１０が回転収納状態であることを検出すると、周期選択手段１１２が１０２４フィールド毎に反転する周期を選択し、周期切替え手段１１３により、長周期反転の周期を１０２４フィールド毎に反転するように切替える（Ｓ１５０５）。ここで、カメラモードにおいて、液晶パネル１１０が回転収納状態の場合は、使用者が、液晶パネル１１０を見て使用する環境は極めて少ないため、使用者がフリッカを認識することはない。また、本体モード検出手段１４０１により、カメラモード以外を検出し場合や（Ｓ１５０２）、パネル開閉検出手段１２０１により、液晶パネル１１０が閉じていることを検出した場合や（Ｓ１５０３）、パネル回転検出手段１２０２により、液晶パネル１１０が正転状態であることを検出すると（Ｓ１５０４）、長周期反転の周期は、２０４８フィールドのままとなる（Ｓ１５０１）。
【００８３】
以上の処理を行った後、撮影あるいは再生が継続されているかどうかの判定を行い（Ｓ１５０６）、電源が切断されて制御が終了するまで、ステップＳ１５０２で本体モードの判定を行い、以上の処理を繰り返す。電源が切断されると、本処理を終了する。
【００８４】
このように、第７の実施例におけるビデオカメラによれば、カメラモードにおいて、液晶パネル１１０が回転収納状態の時は、長周期反転の周期を短くするため、液晶パネル１１０の焼き付きを低減させることができる。
【００８５】
＜第８の実施形態＞
次に、本発明の第８の実施例における、長周期反転の周期の切替え方法について説明する。
【００８６】
第８の実施例の撮像装置の構成は、前記第１の実施例とほぼ同一であるので、同一の構成要素については同一の符号を用いることでその説明を省略し、ここでは異なる構成について説明する。
【００８７】
図１６は請求項８の発明の実施例における撮像装置の構成を示すブロック図であり、第１の実施例において、外部出力端子検出手段１６０１を追加し、ビデオカメラ本体に外部出力端子が挿されているかの判別を可能にしたものである。
【００８８】
図１７は請求項８の発明の実施例における、長周期反転の周期を切替える手順を示すフローチャートである。
【００８９】
本処理は、制御マイコン１０７によって実行される。図１７において、電源が投入されると、制御マイコン１０７は、周期選択手段１１２により、長周期反転の周期を２０４８フィールドに設定をする（Ｓ１７０１）。次に、外部出力端子検出手段１６０１により、ビデオカメラ本体に外部出力端子が挿されたことを検出すると（Ｓ１７０２）、周期選択手段１１２が１０２４フィールド毎に反転する周期を選択し、周期切替え手段１１３により、長周期反転の周期を１０２４フィールド毎に反転するように切替える（Ｓ１７０３）。ここで、外部出力端子が挿されている場合は、テレビ等のモニタに映像が映し出されているため、使用者によって、液晶パネル１１０が見られていることはない。そのため、使用者がフリッカを認識することはない。また、外部出力端子検出手段１６０１により、外部出力端子に端子が刺されていないことを検出すると（Ｓ１７０２）、長周期反転の周期は、２０４８フィールドのままとなる（Ｓ１７０１）。
【００９０】
以上の処理を行った後、撮影あるいは再生が継続されているかどうかの判定を行い（Ｓ１７０４）、電源が切断されて制御が終了するまで、ステップＳ１７０２で外部出力端子が挿されているかの判定を行い、以上の処理を繰り返す。電源が切断されると、本処理を終了する。
【００９１】
このように、第８の実施例におけるビデオカメラによれば、外部出力端子が挿されている時は、長周期反転の周期を短くするため、液晶パネル１１０の焼き付きを低減させることができる。
【００９２】
＜第９の実施形態＞
次に、本発明の第９の実施例における、長周期反転の周期の切替え方法について説明する。
【００９３】
第９の実施例の撮像装置の構成は、前記第１の実施例とほぼ同一であるので、同一の構成要素については同一の符号を用いることでその説明を省略し、ここでは異なる構成について説明する。
【００９４】
図１８は請求項９の発明の実施例における撮像装置の構成を示すブロック図であり、第１の実施例において、三脚検出手段１８０１を追加し、ビデオカメラ本体が三脚に固定されていることを判別可能にしたものである。ここで、三脚に固定されているかの検出方法は、三脚固定部にメカＳＷを設けることで検出可能である。
【００９５】
図１９は請求項９の発明の実施例における、長周期反転の周期を切替える手順を示すフローチャートである。
【００９６】
本処理は、制御マイコン１０７によって実行される。図１９において、電源が投入されると、制御マイコン１０７は、周期選択手段１１２により、長周期反転の周期を２０４８フィールドに設定をする（Ｓ１９０１）。次に、三脚検出手段１８０１により、ビデオカメラ本体が三脚に固定されたことを検出すると（Ｓ１９０２）、周期選択手段１１２が１０２４フィールド毎に反転する周期を選択し、周期切替え手段１１３により、長周期反転の周期を１０２４フィールド毎に反転するように切替える（Ｓ１９０３）。ここで、ビデオカメラが三脚に固定されている場合は、使用者は、液晶パネル１１０を常に見ていることはない。そのため、使用者がフリッカを認識する機会は極めて少ない。また、三脚検出手段１８０１により、ビデオカメラが三脚に固定されていないことを検出すると（Ｓ１９０２）、長周期反転の周期は、２０４８フィールドのままとなる（Ｓ１９０１）。
【００９７】
以上の処理を行った後、撮影あるいは再生が継続されているかどうかの判定を行い（Ｓ１９０４）、電源が切断されて制御が終了するまで、ステップＳ１９０２で三脚に固定されているかの判定を行い、以上の処理を繰り返す。電源が切断されると、本処理を終了する。
【００９８】
このように、第９の実施例におけるビデオカメラによれば、三脚に固定されている時は、長周期反転の周期を短くするため、液晶パネル１１０の焼き付きを低減させることができる。
【００９９】
＜第１０の実施形態＞
次に、本発明の第１０の実施例における、長周期反転の周期の切替え方法について説明する。
【０１００】
第１０の実施例の撮像装置の構成は、前記第４の実施例と同一であるので、構成要素については同一の符号を用いることでその説明を省略する。図８は請求項１０の発明の実施例における撮像装置の構成を示すブロック図である。図２０は請求項１０の発明の実施例における、長周期反転の周期を切替える手順を示すフローチャートである。
【０１０１】
本処理は、制御マイコン１０７によって実行される。図２０において、電源が投入されると、制御マイコン１０７は、周期選択手段１１２により、長周期反転の周期を２０４８フィールドに設定をする（Ｓ２００１）。次に、ＡＰＬ検出手段８０１により、平均輝度レベルを検出する。この時ＡＰＬ検出レベルが閾値１以下である場合（Ｓ２００２）はステップＳ２００４へ進む。ここで、閾値１は制御マイコン１０７に予め設定されている値で、閾値１は平均輝度レベルが２０％の値とする。すると、周期選択手段１１２が１０２４フィールド毎に反転する周期を選択し、周期切替え手段１１３により、長周期反転の周期を１０２４フィールド毎に反転するように切替える（Ｓ２００４）。
【０１０２】
また、ステップＳ２００１で長周期反転の周期を２０４８フィールドに設定をすると、ＡＰＬ検出手段８０１により、平均輝度レベルを検出し、この時ＡＰＬ検出レベルが閾値２以上である場合（Ｓ２００３）はステップＳ２００４へ進む。ここで、閾値２は制御マイコン１０７に予め設定されている値で、閾値２は平均輝度レベルが８０％の値とする。すると、周期選択手段１１２が１０２４フィールド毎に反転する周期を選択し、周期切替え手段１１３により、長周期反転の周期を１０２４フィールド毎に反転するように切替える（Ｓ２００４）。この平均輝度レベルが２０％以下もしくは８０％以上の映像は、長周期反転のタイミングで発生するフリッカが目立たない表示である。
【０１０３】
以上の処理を行った後、撮影あるいは再生が継続されているかどうかの判定を行い（Ｓ２００５）、電源が切断されて制御が終了するまで、ステップＳ２００２もしくはステップＳ２００３で平均輝度レベルの判定を行い、以上の処理を繰り返す。電源が切断されると、本処理を終了する。
【０１０４】
このように、第１０の実施例におけるビデオカメラによれば、平均輝度レベルが２０％以下もしくは８０％以上の映像の時は、長周期反転の周期を短くするため、液晶パネル１１０の焼き付きを低減させることができる。
【０１０５】
また、上記実施例４ではフリッカの目立つ映像は２０％以上８０％以下の映像に限定されるものでなく、使用する液晶パネル１０１の種類によって変わるものである。
【０１０６】
また、上記実施例１０ではフリッカの目立つ映像をＡＰＬを使用して判別したが、輝度ヒストグラム解析を用いても良い。
【０１０７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【０１０８】
１０７‥‥制御マイコン
１１３‥‥周期選択手段
１１５‥‥周期切替え手段
１１５‥‥モード検出手段
１１７‥‥液晶パネル
【図１】
2013161006.tif 000003
【図２】
2013161006.tif 000004
【図３】
2013161006.tif 000005
【図４】
2013161006.tif 000006
【図５】
2013161006.tif 000007
【図６】
2013161006.tif 000008
【図７】
2013161006.tif 000009
【図８】
2013161006.tif 000010
【図９】
2013161006.tif 000011
【図１０】
2013161006.tif 000012
【図１１】
2013161006.tif 000013
【図１２】
2013161006.tif 000014
【図１３】
2013161006.tif 000015
【図１４】
2013161006.tif 000016
【図１５】
2013161006.tif 000017
【図１６】
2013161006.tif 000018
【図１７】
2013161006.tif 000019
【図１８】
2013161006.tif 000020
【図１９】
2013161006.tif 000021
【図２０】
2013161006.tif 000022
【図２１】
2013161006.tif 000023
【図２２】
2013161006.tif 000024